(57)【要約】【課題】無停電電源装置同士の接続情報を自動的に収集すること。【解決手段】メインの無停電電源装置３２、サブの無停電電源装置３３，３４を、それらの間の配電線３５に沿って信号線３６で接続し、その信号線３６を介して各無停電電源装置３２，３３，３４からそれぞれの装置データを送信し、装置データが集約されるメインの無停電電源装置３２において、装置データを用いて、無停電電源装置３２，３３，３４同士の接続情報を生成し、この接続情報を監視装置３７で表示する。【選択図】　図２
2004129461.tif 000002
【特許請求の範囲】
【請求項１】
複数個の無停電電源装置を備え、これら複数個の無停電電源装置を協調運転させることで負荷機器へバックアップ電力を供給する無停電電源システムの監視方法であって、
上記無停電電源装置および必要によって上記複数個の無停電電源装置に接続される配電盤を、それらの間の配電線に沿って信号線で接続し、
上記信号線を介して、上記各無停電電源装置および上記各配電盤からそれぞれの装置データを送信し、
上記装置データが集約される上記無停電電源装置あるいは上記配電盤では、上記装置データを用いて、上記無停電電源装置および上記配電盤の接続情報を生成し、
上記装置データが集約される上記無停電電源装置あるいは上記配電盤から上記接続情報を監視装置へ送信し、
上記監視装置では上記接続情報を表示することを特徴とする無停電電源システムの監視方法。
【請求項２】
複数個の無停電電源装置を備え、これら複数個の無停電電源装置を協調運転させることで負荷機器へバックアップ電力を供給する無停電電源システムにおいて、
全ての上記無停電電源装置および必要によって上記複数個の無停電電源装置に接続される配電盤を、それらの間の配電線に沿って接続する信号線と、
配電線が集約される上記無停電電源装置の中の１つあるいは上記配電盤の内の１つに接続される監視装置と、
上記監視装置が接続されない上記無停電電源装置あるいは上記配電盤それぞれに設けられ、上記監視装置が接続される上記無停電電源装置あるいは上記配電盤へ、自身の装置データを送信する上位送信手段と、
上記監視装置に接続される上記無停電電源装置あるいは上記配電盤によって受信された他の上記装置データおよび自身の装置データを用いて、上記無停電電源装置および／または上記配電盤の接続情報を生成して上記監視装置へ送信するアップリンク送信手段と、を備え、
上記監視装置は上記接続情報を表示することを特徴とする無停電電源システム。
【請求項３】
入力端子に供給される交流電力を、出力端子を介して負荷機器へ供給するとともに、該入力端子に入力される交流電力に異常が生じた場合には、バックアップ電力を上記負荷機器へ供給する無停電電源装置において、
自身の装置データなどのデータを記憶する記憶部材と、
上記入力端子および上記出力端子の中の一方の端子に接続される他の無停電電源装置あるいは配電盤に信号線で接続される下位コネクタと、
上記入力端子および上記出力端子の中の他方の端子に接続される他の無停電電源装置あるいは配電盤に信号線で接続される上位コネクタと、
監視装置に信号線で接続されるアップリンクコネクタと、
上記下位コネクタに上記信号線が接続されている場合に、上記下位コネクタから受信したデータを上記記憶部材に記憶させる受信手段と、
上記上位コネクタに上記信号線が接続されている場合に、上記自身の装置データを上記上位コネクタから送信する上位送信手段と、
上記アップリンクコネクタに上記信号線が接続されている場合に、上記記憶部材に記憶されている上記自身の装置データおよび受信した他の装置データを用いて、無停電電源装置同士の接続情報および／または無停電電源装置と上記配電盤との接続情報を生成するアップリンク送信手段と、を備えることを特徴とする無停電電源装置。
【請求項４】
前記下位コネクタおよび前記上位コネクタそれぞれに前記信号線が接続されている場合に、前記受信手段によって前記記憶部材に記憶された他の装置データを前記上位コネクタから送信させる中継送信手段を備えることを特徴とする請求項３記載の無停電電源装置。
【請求項５】
複数個の請求項３記載の無停電電源装置と、
監視装置と、
上記複数個の無停電電源装置同士を、それらの間の配電線に沿って接続するとともに、該配電線が１つに集約される上記無停電電源装置と上記監視装置とを接続する信号線と、を備え、
上記監視装置は、受信した上記複数個の無停電電源装置同士の接続情報を表示することを特徴とする無停電電源システム。
【請求項６】
複数組の入力端子に入力される交流電力をスイッチで選択して出力端子から出力する配電盤において、
自身の装置データなどのデータを記憶する記憶部材と、
上記複数組の入力端子および上記出力端子の中の一方の端子に接続される他の無停電電源装置あるいは配電盤に信号線で接続される下位コネクタと、
上記入力端子および上記出力端子の中の他方の端子に接続される他の無停電電源装置あるいは配電盤に信号線で接続される上位コネクタと、
監視装置に信号線で接続されるアップリンクコネクタと、
上記下位コネクタに上記信号線が接続されている場合に、上記下位コネクタから受信したデータを上記記憶部材に記憶させる受信手段と、
上記上位コネクタに上記信号線が接続されている場合に、上記自身の装置データを上記上位コネクタから送信する上位送信手段と、
上記アップリンクコネクタに上記信号線が接続されている場合に、上記記憶部材に記憶されている上記自身の装置データおよび受信した他の装置データを用いて、無停電電源装置同士の接続情報および／または無停電電源装置と上記他の配電盤との接続情報を生成するアップリンク送信手段と、を備えることを特徴とする配電盤。
【請求項７】
前記下位コネクタおよび前記上位コネクタそれぞれに前記信号線が接続されている場合に、前記受信手段によって前記記憶部材に記憶された他の装置データを前記上位コネクタから送信させる中継送信手段を備えることを特徴とする請求項６記載の配電盤。
【請求項８】
複数個の請求項３記載の無停電電源装置と、
少なくとも１つの請求項６記載の配電盤と、
監視装置と、
上記複数個の無停電電源装置同士および上記配電盤を、それらの間の配電線に沿って接続するとともに、該配電線が１つに集約される上記無停電電源装置あるいは上記配電盤と上記監視装置とを接続する信号線と、を備え、
上記監視装置は、受信した上記複数個の無停電電源装置同士の接続情報および無停電電源装置と上記配電盤との接続情報を表示することを特徴とする無停電電源システム。
【発明の詳細な説明】
【０００１】
【発明が属する技術分野】
本発明は、無停電電源システムの監視方法、無停電電源システム、無停電電源装置および配電盤に関する。
【０００２】
【従来の技術】
従来、負荷機器へ安定した電力を供給するために、無停電電源装置が利用されている。このような無停電電源装置は、たとえば、特許文献１などに開示されている。
【０００３】
【特許文献１】
特開２０００−３０８３５９号公報
【０００４】
無停電電源装置は、商用交流電源と負荷機器との間に接続される。そして、商用交流電源が停電したりすると、無停電電源装置は、それに内蔵するバッテリに蓄電されている電力や、発電装置が生成した電力を負荷機器へ供給する。つまり、無停電電源装置は、電源異常時に、負荷機器へバックアップ電力を供給する。これにより、たとえば通信機器などの負荷機器は、商用交流電源が停電したとしても、安定して動作をし続けることができる。
【０００５】
ところで、近年、情報の電子化が急速に進んでいる。この電子化された情報を蓄積するサーバや、電子化された情報を伝送するための通信機器なども急速に普及している。これらの電子機器は、無停電電源装置にてバックアップ電力が供給されることが多い。また、広く普及している、テレビ受信機やビデオ再生装置などの各種の家電機器も、無停電電源装置にてバックアップ電力が供給されることもある。
【０００６】
そして、このような電子機器（家電機器を含む）などの多数の負荷機器を無停電電源装置でバックアップする場合、当然に、負荷機器の総合消費電力に合わせた電力供給能力を有する無停電電源装置を使用しなければならない。
【０００７】
また、負荷機器の重要度に応じて、一部の負荷機器については他の負荷機器よりもさらに多くの電力のバックアップが必要となることもある。
【０００８】
そのため、たとえばビル、フロア、工場などで多数の負荷機器の電力バックアップを行う場合、１つの大型の無停電電源装置を利用して全ての負荷機器をまとめてバックアップするのではなく、複数の無停電電源装置を組み合わせて、これら多数の負荷機器の電力のバックアップを行っている。
【０００９】
具体的には、たとえば、多数の負荷機器に対して電力のバックアップを行う場合には、複数個の無停電電源装置を並列に接続する。特に、余分に１つの無停電電源装置を並列に接続することで、無停電電源装置の中の１つが故障したとしても、必要なバックアップ電力を確保することができる。
【００１０】
他にもたとえば、重要な負荷機器と、あまり重要でない負荷機器とが存在する場合には、その全体に対してバックアップ電力を供給する無停電電源装置を接続するととともに、その無停電電源装置と重要な負荷機器との間にはさらに別の無停電電源装置を接続する。このように複数個の無停電電源装置を直列に接続して負荷機器の電力のバックアップすることは、一般的に無停電電源装置の冗長運転と呼ばれている。
【００１１】
このように複数の無停電電源装置を適当に組み合わせることで、１つの大型の無停電電源装置を利用する場合に比べて、無停電電源システムの電力バックアップ能力を必要最小限に抑えることができる。その結果、無停電電源システムのコストは、必要最小限に抑えられる。
【００１２】
【発明が解決しようとする課題】
しかしながら、従来の無停電電源装置を複数個組み合わせた場合、無停電電源システムでは、それを利用するにあたって、以下のような不都合がある。
【００１３】
第一に、従来の無停電電源装置を複数個組み合わせた場合、複数個の無停電電源装置同士が設計図どおりに適切に配電線で接続されているか否かは、全ての無停電電源装置同士の配電線による接続状態を、目視によって確認する必要がある。また、その接続状態は、目視によってしか確認することができない。
【００１４】
そのため、無停電電源システムを納入した先の管理者が立会いのもとで、工事責任者が１つ１つの配電線の接続関係を確認する必要がある。この確認作業には、手間と時間とがかかってしまう。また、このように目視のみに頼って確認をした場合、誤結線を見逃してしまう可能性が残ってしまう。万が一に、誤った結線がなされたまま電源システムに電力が供給された場合には、適切に負荷機器への電力供給ができなくなり、時には負荷機器が故障したり、動作しなくなってしまう。
【００１５】
第二に、従来の無停電電源システムでは、無停電電源装置同士の接続状態は、予め作成されている設計図を用いてしか把握することができない。したがって、設計図が手元に無い場合には、現状の配電線の接続関係を１つ１つ実際に調べて、接続図を作成しなければならない。また、無停電電源装置同士の接続関係が、当初の設計時から変更されてしまっている場合にも、現状の配電線の接続関係を１つ１つ実際に調べて、接続図を再作成しなければならない。
【００１６】
その結果、無停電電源システムを一旦設置した後に、使用電力の増減や、バックアップする負荷機器の移動などに応じて、無停電電源装置を用いた電源システムの構成を変更しようとする場合には、無停電電源装置同士の接続関係を把握するための事前の調査などが必要となってしまう。そして、その事前の調査などによる現状把握に時間がかかるため、余分な工数やコストが発生してしまう。
【００１７】
また、そのように現状を簡単に把握することができないため、逆に、使用電力の増減や、バックアップする負荷機器の移動などが発生したとしても、電源的には多分問題は無いはずたという安易な推測をして、無停電電源システムの全体の見直しがなされないことも考えられる。そして、そのように無停電電源装置を用いた電源システムの見直しがなされないまま、実際に問題が生じたときには、十分なバックアップ電力を適切に負荷機器へ供給することができなくなってしまい、無停電電源システムとしての電力バックアップ機能を損なってしまう恐れもある。
【００１８】
したがって、複数個の無停電電源装置を組み合わせて無停電電源システムを構築した場合、その複数個の無停電電源装置同士の現状の接続状態を簡単に把握できるようにすることは、無停電電源システムの運用上非常に重要なこととなる。特に、無停電電源装置の個数が増加すればするほど、これら無停電電源装置同士の接続関係を確実に把握できることが重要となってくる。
【００１９】
なお、従来において、主に小型の無停電電源装置を監視するための監視装置がある。このような監視装置は、たとえば、上述した特許文献１などに開示されている。
【００２０】
しかしながら、このような従来の監視装置は、無停電電源装置と１対１に設けられているものである。あるいは、従来の監視装置は、無停電電源装置を１つずつ監視するものである。そのため、このような従来の監視装置を用いたとしても、複数個の無停電電源装置同士の接続関係を簡単に把握することはできない。
【００２１】
本発明は、以上の課題を解決するためになされたものであり、無停電電源装置同士の接続情報を自動的に収集することができる無停電電源システムの監視方法、無停電電源システム、無停電電源装置および配電盤を提供することを目的とする。
【００２２】
【課題を解決するための手段】
本発明に係る無停電電源システムの監視方法は、複数個の無停電電源装置を備え、これら複数個の無停電電源装置を協調運転させることで負荷機器へバックアップ電力を供給する無停電電源システムの監視方法であって、無停電電源装置および必要によって複数個の無停電電源装置に接続される配電盤を、それらの間の配電線に沿って信号線で接続し、信号線を介して、各無停電電源装置および各配電盤からそれぞれの装置データを送信し、装置データが集約される無停電電源装置あるいは配電盤では、装置データを用いて、無停電電源装置および配電盤の接続情報を生成し、装置データが集約される無停電電源装置あるいは配電盤から接続情報を監視装置へ送信し、監視装置では接続情報を表示するものである。
【００２３】
この方法を採用すれば、各無停電電源装置および各配電盤は、それぞれの装置データを信号線を用いて送信する。この信号線は、たとえば無停電電源装置同士や、無停電電源装置と配電盤とを接続する配電線に沿って接続されている。したがって、各無停電電源装置あるいは各配電盤の装置データは、それに接続されている他の無停電電源装置あるいは他の配電盤へ送信される。このように、複数個の無停電電源装置の装置データや、配電盤の装置データは、いずれかの無停電電源装置あるいは配電盤に集約される。
【００２４】
そして、その装置データが集約される無停電電源装置あるいは配電盤において、装置データを用いて、無停電電源装置および配電盤の接続情報を生成する。また、その接続情報は、監視装置に送信されて表示される。したがって、管理者などは、自動的に集約されて監視装置に表示される接続情報に基づいて、複数個の無停電電源装置と配電盤との接続状態を簡単に確認することができる。
【００２５】
このように配電線に沿って信号線を配設し、且つ、その信号線を用いて装置データを集約することで、複数個の無停電電源装置を１つの監視装置で集中して監視することができる。
【００２６】
また、配電線に沿って信号線を配設し、且つ、その信号線を用いて装置データを集約しているので、配電線が誤って接続されている場合には、誤った接続状態が監視装置に表示される。したがって、複数個の無停電電源装置、場合によってはそれに配電盤を加えて構成される無停電電源システムの設置工事や、無停電電源装置の追加あるいは交換工事においても、たとえば無停電電源装置同士が誤って接続されているか否かを、監視装置の表示において簡単に確認することができる。それゆえ、無停電電源システムを、設計どおりに正しく設置することができる。
【００２７】
本発明に係る無停電電源システムは、複数個の無停電電源装置を備え、これら複数個の無停電電源装置を協調運転させることで負荷機器へバックアップ電力を供給する無停電電源システムにおいて、全ての無停電電源装置および必要によって複数個の無停電電源装置に接続される配電盤を、それらの間の配電線に沿って接続する信号線と、配電線が集約される無停電電源装置の中の１つあるいは配電盤の内の１つに接続される監視装置と、監視装置が接続されない無停電電源装置あるいは配電盤それぞれに設けられ、監視装置が接続される無停電電源装置あるいは配電盤へ、自身の装置データを送信する上位送信手段と、監視装置に接続される無停電電源装置あるいは配電盤によって受信された他の装置データおよび自身の装置データを用いて、無停電電源装置および／または配電盤の接続情報を生成して監視装置へ送信するアップリンク送信手段と、を備え、監視装置は接続情報を表示するものである。
【００２８】
この構成を採用すれば、上位送信手段は、それぞれに対応する無停電電源装置あるいは配電盤の装置データを送信する。この装置データは、たとえば停電電源装置同士や無停電電源装置と配電盤とを接続する配電線に沿って接続される信号線を介して、監視装置に接続されている無停電電源装置あるいは配電盤へ送信される。
【００２９】
そして、その装置データが集約される無停電電源装置あるいは配電盤において、アップリンク送信手段は、装置データを用いて、無停電電源装置および配電盤の接続情報を生成する。また、その接続情報は、監視装置へ送信されて表示される。したがって、管理者などは、自動的に集約されて監視装置に表示される接続情報に基づいて、複数個の無停電電源装置と配電盤との接続状態を簡単に確認することができる。
【００３０】
このように配電線に沿って信号線を配設し、且つ、その信号線を用いて装置データを集約することで、複数個の無停電電源装置を１つの監視装置で集中して監視することができる。また、監視装置において、配電線の接続誤りを確認することができるので、無停電電源システムの設置工事などにおいて、無停電電源システムを、設計どおりに正しく設置することができる。
【００３１】
本発明に係る無停電電源装置は、入力端子に供給される交流電力を、出力端子を介して負荷機器へ供給するとともに、該入力端子に入力される交流電力に異常が生じた場合には、バックアップ電力を負荷機器へ供給する無停電電源装置において、自身の装置データなどのデータを記憶する記憶部材と、入力端子および出力端子の中の一方の端子に接続される他の無停電電源装置あるいは配電盤に信号線で接続される下位コネクタと、入力端子および出力端子の中の他方の端子に接続される他の無停電電源装置あるいは配電盤に信号線で接続される上位コネクタと、監視装置に信号線で接続されるアップリンクコネクタと、下位コネクタに信号線が接続されている場合に、下位コネクタから受信したデータを記憶部材に記憶させる受信手段と、上位コネクタに信号線が接続されている場合に、自身の装置データを上位コネクタから送信する上位送信手段と、アップリンクコネクタに信号線が接続されている場合に、記憶部材に記憶されている自身の装置データおよび受信した他の装置データを用いて、無停電電源装置同士の接続情報および／または無停電電源装置と配電盤との接続情報を生成するアップリンク送信手段と、を備えるものである。
【００３２】
この構成を採用すれば、無停電電源装置は、上位コネクタから装置データを送信することができる。また、無停電電源装置は、下位コネクタで受信した装置データを記憶部材に記憶し、その記憶部材に記憶されている装置データを用いて接続情報を生成し、さらに、その接続情報をアップリンクコネクタから送信することができる。
【００３３】
したがって、たとえば、無停電電源装置の上位コネクタを他の無停電電源装置の下位コネクタに接続し、該他の無停電電源装置のアップリンクコネクタを監視装置に接続することで、これらの無停電電源装置同士の接続情報を、自動的に集約させて監視装置に表示させることができる。また、無停電電源装置と配電盤との接続情報も併せて監視装置に表示される。
【００３４】
その結果、管理者などは、自動的に集約されて監視装置に表示される接続情報に基づいて、複数個の無停電電源装置と配電盤との接続状態を簡単に確認することができる。また、管理者などは、監視装置において、配電線の接続誤りを確認することができるので、無停電電源システムの設置工事などにおいて、無停電電源システムを、設計どおりに正しく設置することができる。
【００３５】
特に、この構成では、各無停電電源装置は、下位コネクタと、上位コネクタと、アップリンクコネクタと、を備える。したがって、信号線を接続する作業者は、無停電電源装置を一瞥しただけではどのコネクタに信号線を接続すれば良いのかを判断することができないので、信号線を接続する度に配電線の接続を確認して、この配電線に沿って信号線を接続することになる。
【００３６】
その結果、配電線の接続について、信号線を接続する作業者と、監視装置を利用する管理者との二重のチェックが別々に行われることになり、配電線の誤結線を効果的に予防することができる。
【００３７】
本発明に係る無停電電源装置は更に、下位コネクタおよび上位コネクタそれぞれに信号線が接続されている場合に、受信手段によって記憶部材に記憶された他の装置データを上位コネクタから送信させる中継送信手段を備えるものである。
【００３８】
この構成を採用すれば、下位コネクタおよび上位コネクタに信号線が接続されている無停電電源装置は、下位コネクタから受信した他の装置データを上位コネクタから送信することができる。したがって、ある無停電電源装置の装置データは、他の無停電電源装置を介して更に他の無停電電源装置まで送信される。
【００３９】
したがって、たとえば無停電電源装置が３段以上に冗長化されていたとしても、１つの無停電電源装置あるいは配電盤に、全ての無停電電源装置の装置データを集約することができる。
【００４０】
本発明に係る他の無停電電源システムは、上述する無停電電源装置と、監視装置と、複数個の無停電電源装置同士を、それらの間の配電線に沿って接続するとともに、該配電線が１つに集約される無停電電源装置と監視装置とを接続する信号線と、を備え、監視装置は、受信した複数個の無停電電源装置同士の接続情報を表示するものである。
【００４１】
この構成を採用すれば、配電線が１つになり且つ監視装置が接続される無停電電源装置以外の無停電電源装置は、それぞれの装置データを上位コネクタから送信する。この装置データは、電源線に沿って配設される信号線を介して、配電線が１つになり且つ監視装置が接続される無停電電源装置の下位コネクタに受信される。配電線が１つになり且つ監視装置が接続される無停電電源装置は、この受信した装置データおよび自身の装置データを用いて接続情報を生成する。この接続情報は、監視装置へ送信されて表示される。したがって、管理者などは、自動的に集約されて監視装置に表示される接続情報に基づいて、複数個の無停電電源装置と配電盤との接続状態を簡単に確認することができる。
【００４２】
また、このように配電線に沿って信号線を配設し、且つ、その信号線を用いて装置データを１つに集約することで、全ての無停電電源装置を１つの監視装置で集中して監視することができる。また、監視装置において、全ての無停電電源装置の配電線の接続誤りを確認することができるので、無停電電源システムの設置工事などにおいて、無停電電源システムを、設計どおりに正しく設置することができる。
【００４３】
本発明に係る配電盤は、複数組の入力端子に入力される交流電力をスイッチで選択して出力端子から出力する配電盤において、自身の装置データなどのデータを記憶する記憶部材と、複数組の入力端子および出力端子の中の一方の端子に接続される他の無停電電源装置あるいは配電盤に信号線で接続される下位コネクタと、入力端子および出力端子の中の他方の端子に接続される他の無停電電源装置あるいは配電盤に信号線で接続される上位コネクタと、監視装置に信号線で接続されるアップリンクコネクタと、下位コネクタに信号線が接続されている場合に、下位コネクタから受信したデータを記憶部材に記憶させる受信手段と、上位コネクタに信号線が接続されている場合に、自身の装置データを上位コネクタから送信する上位送信手段と、アップリンクコネクタに信号線が接続されている場合に、記憶部材に記憶されている自身の装置データおよび受信した他の装置データを用いて、無停電電源装置同士の接続情報および／または無停電電源装置と他の配電盤との接続情報を生成するアップリンク送信手段と、を備えるものである。
【００４４】
この構成を採用すれば、配電盤は、上位コネクタから装置データを送信することができる。また、配電盤は、下位コネクタで受信した装置データを記憶部材に記憶し、その記憶部材に記憶されている装置データを用いて接続情報を生成し、さらに、その接続情報をアップリンクコネクタから送信することができる。
【００４５】
したがって、たとえば、配電盤の上位コネクタを無停電電源装置の下位コネクタに接続し、該他の無停電電源装置のアップリンクコネクタを監視装置に接続することで、これら無停電電源装置および配電盤の接続情報を監視装置に表示させることができる。
【００４６】
その結果、管理者などは、自動的に集約されて監視装置に表示される接続情報に基づいて、複数個の無停電電源装置と配電盤との接続状態を簡単に確認することができる。また、管理者などは、監視装置において、配電線の接続誤りを確認することができるので、無停電電源システムの設置工事などにおいて、無停電電源システムを、設計どおりに正しく設置することができる。
【００４７】
特に、この構成では、各配電盤は、下位コネクタと、上位コネクタと、アップリンクコネクタと、を備える。したがって、信号線を接続する作業者は、配電盤を一瞥しただけではどのコネクタに信号線を接続すれば良いのかを判断することができないので、信号線を接続する度に配電線の接続を確認して、この配電線に沿って信号線を接続することになる。
【００４８】
その結果、配電線の接続について、信号線を接続する作業者と、監視装置を利用する管理者との二重のチェックが別々に行われることになり、配電線の結線誤りを効果的に予防することができる。
【００４９】
本発明に係る配電盤は更に、下位コネクタおよび上位コネクタそれぞれに信号線が接続されている場合に、受信手段によって記憶部材に記憶された他の装置データを上位コネクタから送信させる中継送信手段を備えるものである。
【００５０】
この構成を採用すれば、下位コネクタおよび上位コネクタに信号線が接続されている配電盤は、下位コネクタから受信した他の装置データを上位コネクタから送信することができる。したがって、たとえば、ある無停電電源装置の装置データは、配電盤を介して他の無停電電源装置まで送信される。
【００５１】
したがって、たとえば無停電電源装置と配電盤とが３段以上に接続されていたとしても、１つの無停電電源装置あるいは配電盤に、全ての無停電電源装置の装置データを集約することができる。
【００５２】
本発明に係る更に他の無停電電源システムは、複数個の上述する無停電電源装置と、少なくとも１つの上述する配電盤と、監視装置と、複数個の無停電電源装置同士および配電盤を、それらの間の配電線に沿って接続するとともに、該配電線が１つに集約される無停電電源装置あるいは配電盤と監視装置とを接続する信号線と、を備え、監視装置は、受信した複数個の無停電電源装置同士の接続情報および無停電電源装置と配電盤との接続情報を表示するものである。
【００５３】
この構成を採用すれば、配電線が１つになり且つ監視装置が接続される無停電電源装置あるいは配電盤以外の無停電電源装置および配電盤は、それぞれの装置データを上位コネクタから送信する。この装置データは、電源線に沿って配設される信号線を介して、配電線が１つになり且つ監視装置が接続される無停電電源装置あるいは配電盤の下位コネクタに受信される。配電線が１つになり且つ監視装置が接続される無停電電源装置あるいは配電盤は、この受信した装置データおよび自身の装置データを用いて接続情報を生成する。この接続情報は、監視装置へ送信されて表示される。したがって、管理者などは、自動的に集約されて監視装置に表示される接続情報に基づいて、複数個の無停電電源装置と配電盤との接続状態を簡単に確認することができる。
【００５４】
また、このように配電線に沿って信号線を配設し、且つ、その信号線を用いて装置データを１つに集約することで、全ての無停電電源装置および配電盤を１つの監視装置で集中して監視することができる。また、監視装置において、全ての無停電電源装置および配電盤の配電線の接続誤りを確認することができるので、無停電電源システムの設置工事などにおいて、無停電電源システムを、設計どおりに正しく設置することができる。
【００５５】
【発明の実施の形態】
以下、本発明の無停電電源装置、配電盤、無停電電源システムおよび無停電電源システムの監視方法に係る実施の形態を、図面に基づいて説明する。
【００５６】
なお、無停電電源システムの監視方法は、無停電電源システムの動作として説明する。
【００５７】
実施の形態１．
図１は、本発明の実施の形態１に係る無停電電源装置を示す装置構成図である。
【００５８】
無停電電源装置は、配電線が接続される一対の入力端子１と、配電線が接続される一対の出力端子２と、入力端子１に接続されるコンバータ３と、出力端子２に接続されるインバータ４と、コンバータ３とインバータ４との間に接続されるバッテリ５と、を備える。
【００５９】
コンバータ３は、入力端子１から入力される交流電力を直流電力へ変換する。この直流電力は、バッテリ５およびインバータ４に供給される。バッテリ５は、この直流電力で充電される。インバータ４は、直流電力を交流電力へ変換する。このインバータ４が生成した交流電力が出力端子２から出力される。
【００６０】
コンバータ３とインバータ４とは、マイクロコンピュータ６にて制御される。マイクロコンピュータ６は、コンバータ３やインバータ４との間で制御信号を入出力するＩ／Ｏポート（Ｉｎｐｕｔ／Ｏｕｔｐｕｔ　Ｐｏｒｔ）７と、プログラムやデータを記憶する記憶部材８と、プログラムを実行する中央処理装置（ＣＰＵ：Ｃｅｎｔｒａｌ　Ｐｒｏｃｅｓｓｉｎｇ　Ｕｎｉｔ）９と、中央処理装置９がプログラム実行の際に作業領域などとして利用するＲＡＭ１０（ＲａｎｄｏｍＡｃｃｅｓｓ　Ｍｅｍｏｒｙ）と、これらを相互に接続するシステムバス１１と、を備える。
【００６１】
記憶部材８には、電源監視プログラム１２が記憶されている。この電源監視プログラム１２は、無停電電源装置が起動されると、中央処理装置９に実行される。これにより、電源監視手段が実現される。また、記憶部材８には、設定データ１３、動作データ１４、警報データ１５が記憶される。
【００６２】
電源監視手段は、入力端子１に入力される交流電力を監視する。実際には、入力電圧や入力電流を検出する検出部材からの検出信号をＩ／Ｏポート７に入力させ、このＩ／Ｏポート７に入力される検出信号を監視する。この検出信号などは動作データ１４として記憶部材８に記憶される。
【００６３】
そして、たとえば入力電圧範囲などの設定データ１３に基づいてＩ／Ｏポート７に入力される検出信号が正常であると判断できる場合、電源監視手段は、コンバータ３およびインバータ４を動作させる。これにより、無停電電源装置は、入力端子１から入力される正常な交流電力を、出力端子２から出力することができる。また、無停電電源装置は、入力端子１から入力される正常な交流電力で、バッテリ５を充電することができる。
【００６４】
停電などに起因して、このＩ／Ｏポート７に入力される検出信号が正常でなくなると、電源監視手段は、コンバータ３を停止させる。これにより、バッテリ５に蓄電されている直流電力が、バックアップ電力として、出力端子２から出力される。また、電源監視手段は、バックアップ電力を供給している状態を示す警報データ１５を記憶部材８に記憶させる。なお、電源監視手段は、引き続き入力端子１に入力される交流電力を監視し続け、この交流電力が正常な状態に復帰したら、再びコンバータ３を動作させる。
【００６５】
このように無停電電源装置は、入力端子１に入力される交流電力に異常が生じたとしても、電力の供給源をバッテリ５に切り替えて、出力端子２から正常な交流電力を供給しつづけることができる。その結果、出力端子２に接続される負荷機器は、入力端子１に入力される交流電力が異常な状態になっているのにもかかわらず、バックアップ電力によって正常に動作し続けることができる。
【００６６】
この実施の形態１に係る無停電電源装置には、コネクタ板２１と、通信ユニット２２とが設けられている。
【００６７】
コネクタ板２１には、１つの上位コネクタ２３と、８つの下位コネクタ２４と、１つのアップリンクコネクタ２５と、が設けられている。上位コネクタ２３は、２つ設けてもよい。下位コネクタ２４は、４個や１６個などであってもよい。
【００６８】
上位コネクタ２３には、信号線の一端が接続される。この信号線の他端は、他の無停電電源装置の下位コネクタ２４や、後述する配電盤の下位コネクタ２４に接続される。下位コネクタ２４には、他の信号線の一端が接続される。この信号線の他端は、他の無停電電源装置あるいは配電盤の上位コネクタ２３に接続される。アップリンクコネクタ２５には、更に他の信号線の一端が接続される。この信号線の他端は、コンピュータなどの監視装置に接続される。
【００６９】
そして、これら上位コネクタ２３および下位コネクタ２４に接続される各信号線は、配電線に沿って接続される。
【００７０】
たとえば、図２に示すように、商用交流電源３１に接続されるメインの無停電電源装置３２に、２つのサブの無停電電源装置３３，３４が直列に接続されている無停電電源システムの場合、メインの無停電電源装置３２の出力端子２と、各サブの無停電電源装置３３，３４の入力端子１とが配電線３５で接続されることになる。このような無停電電源装置同士の接続による運転方法は、冗長運転とよばれている。
【００７１】
このような場合には、メインの無停電電源装置３２の各下位コネクタ２４と、各サブの無停電電源装置３３，３４の上位コネクタ２３とが信号線３６（図２では点線で示す）で接続される。なお、図２の接続例では、メインの無停電電源装置３２のアップリンクコネクタ２５が、後述する監視装置３７に信号線３６で接続される。このような無停電電源システムでは、メインの無停電電源装置３２において、２つのサブの無停電電源装置３３，３４からの信号線３６が、１つに集約されている。
【００７２】
なお、図２に示す各サブの無停電電源装置３３，３４は、図３に示すような装置構成の無停電電源装置であってもよい。
【００７３】
図３に示す無停電電源装置は、入力端子４１と、交流発電機４２と、これらが接続される二入力スイッチ４３と、二入力スイッチ４３に接続される出力端子４４と、交流発電機４２および二入力スイッチ４３へ制御信号を出力するマイクロコンピュータ４５と、を備える。
【００７４】
そして、マイクロコンピュータ４５は、通常は入力端子４１から入力される交流電力を出力端子４４へ接続するように二入力スイッチ４３へ制御信号を出力する。また、入力端子４１に入力される電力が異常になると、マイクロコンピュータ４５は、交流発電機４２を起動するとともに、この交流発電機４２が生成する交流電力を出力端子４４へ接続するように二入力スイッチ４３へ制御信号を出力する。これにより、交流発電機４２が発生する交流電力は、バックアップ電力として、図示外の負荷機器へ供給される。
【００７５】
このように図３に示す無停電電源装置は、入力端子４１に入力される交流電力に異常が生じたとしても、電力の供給源を交流発電機４２へ切り替えて、出力端子４４から正常な交流電力を供給しつづけることができる。その結果、出力端子４４に接続される負荷機器は、入力端子４１に入力される交流電力が異常な状態になっているのにもかかわらず、正常に動作し続けることができる。
【００７６】
なお、図３に示す無停電電源装置において、図１に示す無停電電源装置と同一の構成要素については、同一の符号を付して説明を省略する。
【００７７】
他にもたとえば、図４に示す無停電電源システムのように、メインの無停電電源装置５１と、サブの無停電電源装置５２とが後述する１つの配電盤５３に並列に接続されている場合、各無停電電源装置５１，５２の出力端子２と、配電盤５３の入力端子とが配電線５４で接続されることになる。なお、メインの無停電電源装置５１と、サブの無停電電源装置５２とは、別々の交流電源５５，５６に接続されている。このような無停電電源装置同士の接続による運転方法は、並列運転とよばれている。
【００７８】
このような場合には、各無停電電源装置５１，５２の上位コネクタ２３と、配電盤５３の各下位コネクタとが信号線５７（図４では点線で示す）で接続される。なお、図４の接続例では、配電盤５３のアップリンクコネクタが、後述する監視装置５８に信号線５７で接続される。このような無停電電源システムでは、配電盤５３において、２つの無停電電源装置５１，５２からの信号線５７が、１つに集約されている。
【００７９】
このように、信号線３６は、配電線３５に沿って、複数個の無停電電源装置３２，３３，３４同士を接続する。また、信号線５７は、配電線５４に沿って、複数個の無停電電源装置５１，５２と配電盤５３とを接続する。
【００８０】
通信ユニット２２は、コネクタ板２１の上位コネクタ２３、８つの下位コネクタ２４およびアップリンクコネクタ２５に接続される。また、通信ユニット２２は、Ｉ／Ｏポート７に接続される。そして、通信ユニット２２は、各下位コネクタ２４から受信した受信データをＩ／Ｏポート７へ出力する。また、通信ユニット２２は、Ｉ／Ｏポート７から入力される送信データを、上位コネクタ２３およびアップリンクコネクタ２５の中から指定されたコネクタから、送信する。
【００８１】
この実施の形態１に係る無停電電源装置では、さらに、記憶部材８に、通信管理プログラム６１、受信プログラム６２、上位送信プログラム６３、アップリンク送信プログラム６４が記憶されている。なお、これらのプログラムは、マイクロコンピュータ６，４５とは別体の不揮発性メモリ素子に記憶されていてもよい。
【００８２】
また、記憶部材８には、装置データ６５が記憶されている。この装置データ６５は、それぞれ自身の無停電電源装置に関する情報である。装置データ６５としては、たとえば、無停電電源装置の構成（入出力盤の有無など）、仕様（最大供給電力など）、種類、型番、識別番号などを利用することができる。また、装置データ６５は、少なくとも協調運転させる複数個の無停電電源装置の間で、互いを区別することができるような簡単な番号だけであってもよい。但し、後述するように、この装置データ６５自体が監視装置へ送信される場合には、装置データ６５は、無停電電源装置の構成や仕様に関する情報を含むものにした方が、監視装置において、各無停電電源装置を一意に特定することができるので、利用価値が高い。
【００８３】
通信管理プログラム６１は、無停電電源装置が起動されると、中央処理装置９に実行される。これにより、通信管理手段が実現される。通信管理手段は、コネクタ板２１への信号線の接続の有無を監視する。そして、通信管理手段は、少なくともいずれか１つの下位コネクタ２４に信号線が接続されている場合には、中央処理装置９に受信プログラム６２を実行させる。また、上位コネクタ２３に信号線が接続されている場合には、中央処理装置９に上位送信プログラム６３を実行させる。さらに、アップリンクコネクタ２５に信号線が接続されている場合には、中央処理装置９にアップリンク送信プログラム６４を実行させる。
【００８４】
なお、この通信管理手段によるコネクタ板２１の監視は、たとえば、各コネクタ２３，２４，２５の通電状態を検出したり、各コネクタ２３，２４，２５へ検出信号を出力してその応答の有無を検出すればよい。また、通信管理手段は、通電がある場合や、応答があった場合には、そのコネクタ２３，２４，２５に信号線が接続されていると判断すればよい。
【００８５】
下位コネクタ２４に信号線が接続されていると判断すると、通信管理手段は、中央処理装置９に受信プログラム６２を実行させる。これにより、受信手段が実現される。そして、受信手段は、Ｉ／Ｏポート７に入力される受信データを記憶部材８に記憶させる。
【００８６】
このとき、受信手段は、各受信データに、下位コネクタ２４毎に区別できるコネクタ識別情報を付加して記憶部材８に記憶させる。コネクタ識別情報は、記憶部材８において各受信データを区別するために用いられるものであり、たとえばコネクタ板２１において、予め下位コネクタ２４毎に割り当てた互いに異なる番号であれば十分である。他にも、たとえば、下位コネクタ２４毎に固有のＭＡＣ（Ｍｅｄｉａ　Ａｃｃｅｓｓ　Ｃｏｎｔｒｏｌ）アドレスなどが割り当てられている場合には、このＭＡＣアドレスを利用してもよい。
【００８７】
また、受信手段は、記憶部材８に書き込む受信データのコネクタ識別情報が既に記憶部材８に記憶されている場合には、その新たな受信データおよびコネクタ識別情報を書き込むとともに、既に記憶されている受信データおよびコネクタ識別情報を消去する。なお、新たな受信データで、既に記憶されている受信データを上書きすることで、書き込みと消去とを一度に処理するようにしてもよい。
【００８８】
上位コネクタ２３に信号線が接続されていると判断すると、通信管理手段は、中央処理装置９に上位送信プログラム６３を実行させる。これにより、上位送信手段が実現される。そして、上位送信手段は、記憶部材８に記憶されている自身の装置データ６５をＩ／Ｏポート７へ出力し、通信ユニット２２にこの自身の装置データ６５を上位コネクタ２３から送信させる。
【００８９】
上位コネクタ２３から送信された装置データ６５は、信号線を経由して、他の無停電電源装置あるいは配電盤の下位コネクタ２４へ送信される。他の無停電電源装置あるいは配電盤では、下位コネクタ２４に信号線が接続されているため、受信プログラム６２が実行されている。したがって、この無停電電源装置の装置データ６５は、信号線が接続されている他の無停電電源装置あるいは配電盤の記憶部材８に記憶される。
【００９０】
アップリンクコネクタ２５に信号線が接続されていると判断すると、通信管理手段は、中央処理装置９にアップリンク送信プログラム６４を実行させる。これにより、アップリンク送信手段が実現される。そして、アップリンク送信手段は、記憶部材８に記憶されている自身の装置データ６５および他の無停電電源装置や配電盤の装置データ６５を用いて、無停電電源装置同士の接続情報と、無停電電源装置と配電盤との接続情報とを生成する。
【００９１】
下位コネクタ２４から受信した各装置データ６５には、コネクタ識別情報が付加されている。したがって、アップリンク送信手段は、このコネクタ識別情報に基づいて、自身の装置データ６５と受信した各装置データ６５とを区別することができる。アップリンク送信手段は、自身と各装置データ６５の無停電電源装置あるいは配電盤が接続されていることを示す接続情報を生成する。
【００９２】
この接続情報としては、たとえば、型番などの自身の装置データ６５と、各受信した装置データ６５と、それらが互いに直接接続されていることを示す接続関係データと、で構成されていればよい。接続情報としては、この他にもたとえば、自身の装置データ６５に続けて、各受信した装置データ６５を配列したものであってもよい。後者の例の場合には、先頭の装置データ６５にそれ以降の装置データ６５の装置が接続されていることになるので、接続関係データが不要となる。なお、このように装置データ６５の配列順で接続情報を示す場合には、受信手段は、各受信データを初めからその順番で記憶部材８に書き込むようにしてもよい。
【００９３】
また、アップリンク送信手段は、生成した接続情報をＩ／Ｏポート７から出力するとともに、この接続情報を通信ユニット２２にアップリンクコネクタ２５から送信させる。なお、接続情報は、生成後に一旦記憶部材８に記憶された後、Ｉ／Ｏポート７から出力されても、あるいは、生成されたら直ちにＩ／Ｏポート７から出力されてもよい。
【００９４】
図５は、本発明の実施の形態１に係る配電盤を示す装置構成図である。
【００９５】
配電盤は、配電線が接続される複数組の入力端子７１，７２と、配電線が接続される出力端子７３と、複数組の入力端子７１，７２および出力端子７３に接続されるスイッチ７４と、を備える。スイッチ７４は、複数組の入力端子７１，７２の中から１組を選択して出力端子７３に接続する。
【００９６】
このスイッチ７４は、マイクロコンピュータ７５にて制御される。マイクロコンピュータ７５は、スイッチ７４へ制御信号を出力するＩ／Ｏポート７６と、プログラムやデータを記憶する記憶部材７７と、プログラムを実行する中央処理装置７８と、中央処理装置７８がプログラム実行の際に作業領域などとして利用するＲＡＭ７９と、これらを相互に接続するシステムバス８０と、を備える。
【００９７】
記憶部材７７には、配電制御プログラム８１が記憶されている。この配電制御プログラム８１は、配電盤が起動されると、中央処理装置７８に実行される。これにより、配電制御手段が実現される。また、記憶部材７７には、設定データ８２、動作データ８３、警報データ８４が記憶される。
【００９８】
配電制御手段は、設定データ８２などに基づいて所定の組の入力端子７１，７２を出力端子７３に接続する。この選択している入力端子７１，７２の情報は、動作データ８３として記憶部材７７に記憶される。なお、配電制御手段は、設定データ８２などに基づいて、たとえば昼間と夜間とで入力端子７１，７２を切り替えるようにしてもよい。
【００９９】
また、配電制御手段は、複数組の入力端子７１，７２に入力される交流電力を監視する。実際には、入力電圧や入力電流を検出する図示外の検出部材からの検出信号をＩ／Ｏポート７６に入力させ、このＩ／Ｏポート７６に入力される検出信号を監視する。この検出信号などは動作データ８３として記憶部材７７に記憶される。
【０１００】
そして、停電などに起因して、出力端子７３に接続している入力端子７１，７２からの電力が異常になると、配電制御手段は、出力端子７３に接続する入力端子７１，７２を他の入力端子７１，７２へ切り替える。また、入力電力異常に基づいて入力端子７１，７２が切り替えられたことは、警報データ８４として記憶部材７７に記憶される。
【０１０１】
このように配電盤は、選択している入力端子７１，７２に入力される交流電力に異常が生じたとしても、他の入力端子７１，７２に切り替えて、出力端子７３から正常な交流電力を供給しつづけることができる。その結果、出力端子７３に接続される負荷機器は、選択している入力端子７１，７２に入力される交流電力が異常な状態になっているのにもかかわらず、正常に動作し続けることができる。
【０１０２】
また、この実施の形態１に係る配電盤には、コネクタ板２１と、通信ユニット２２とが設けられている。また、記憶部材７７には、通信管理プログラム６１、受信プログラム６２、上位送信プログラム６３、アップリンク送信プログラム６４、装置データ６５が記憶されている。これらの構成要素は、図１に示す無停電電源装置の同名のものと同一であり、同一の符号を付して説明を省略する。
【０１０３】
図６は、本発明の実施の形態１に係る監視装置の構成を示す装置構成図である。
【０１０４】
監視装置は、信号線が接続される監視装置コネクタ９１と、監視装置コネクタ９１によるデータの送受信を制御する通信ユニット９２と、キーボード９３、モニタ９４などの入出力デバイスや通信ユニット９２が接続されるＩ／Ｏポート９５と、プログラムやデータを記憶する記憶部材９６と、プログラムを実行する中央処理装置９７と、中央処理装置９７がプログラム実行の際に作業領域などとして利用するＲＡＭ９８と、これらを相互に接続するシステムバス９９と、を備える。
【０１０５】
記憶部材９６には、監視プログラム１００が記憶されている。この監視プログラム１００は、監視装置が起動されると、中央処理装置９７に実行される。これにより、監視手段が実現される。
【０１０６】
監視装置コネクタ９１は、信号線を用いて、無停電電源装置あるいは配電盤のアップリンク送信コネクタ２５に接続される。監視手段は、監視装置コネクタ９１および通信ユニット９２を介してＩ／Ｏポート９５に入力される受信データを、記憶部材９６に記憶させる。したがって、無停電電源装置あるいは配電盤から送信される接続情報は、信号線、監視装置コネクタ９１および通信ユニット９２を介してＩ／Ｏポート９５に入力され、記憶部材９６に記憶される。
【０１０７】
また、監視手段は、記憶部材９６に記憶されている接続情報をモニタ９４へ出力する。モニタ９４は、接続情報を表示する。このとき、モニタ９４は、複数の無停電電源装置を、たとえば接続関係に基づいて階層化したツリー構造で表示できるようにするとよい。接続関係が階層化したツリー構造にて表示されることで、管理者などは、一瞥して接続関係を把握することができる。
【０１０８】
次に、図２の無停電電源システムの構成の場合を例に、無停電電源システムの全体の動作を説明する。
【０１０９】
上述するように、図２の無停電電源システムでは、メインの無停電電源装置３２の出力端子２と、２つのサブの無停電電源装置３３，３４の入力端子１とが配電線３５で接続されている。メインの無停電電源装置３２の入力端子１は、配電線３５で商用交流電源３１に接続されている。各サブの無停電電源装置３３，３４の出力端子２はそれぞれ、配電線３５で負荷機器３８が接続されている。
【０１１０】
このような無停電電源装置３２，３３，３４同士の配電線３５による接続の場合、メインの無停電電源装置３２の各下位コネクタ２４と、各サブの無停電電源装置３３の上位コネクタ２３とが信号線３６で接続される。また、配電線３５が１つに集約されるメインの無停電電源装置３２のアップリンクコネクタ２５には、信号線３６で監視装置３７に接続される。
【０１１１】
したがって、各サブの無停電電源装置３３，３４では、通信管理手段によって上位送信プログラム６３のみが起動される。そして、各サブの無停電電源装置３３，３４の上位コネクタ２３からは、それぞれのサブの無停電電源装置３３，３４の装置データ６５が送信される。各装置データ６５は、別々の下位コネクタ２４を介して、メインの無停電電源装置３２に受信される。
【０１１２】
また、メインの無停電電源装置３２では、通信管理手段によって受信プログラム６２と、アップリンク送信プログラム６４とが起動される。受信手段は、各サブの無停電電源装置３３，３４の装置データ６５を受信し、それぞれの装置データ６５に互いに異なるコネクタ識別情報を付加して記憶部材８に記憶させる。
【０１１３】
アップリンク送信手段は、記憶部材８に記憶されている自身の装置データ６５と、受信した２つの装置データ６５とに基づいて、接続情報を生成する。この接続情報は、自身に、２つの無停電電源装置が接続されていることを示す情報になる。また、アップリンク送信手段は、この接続情報をアップリンクコネクタ２５から送信する。
【０１１４】
アップリンクコネクタ２５から送信された接続情報は、信号線３６および監視装置コネクタ９１を介して、監視装置３７のＩ／Ｏポート９５に入力される。監視装置３７の監視手段は、この接続情報を記憶部材９６に記憶させるとともに、接続情報をモニタ９４へ出力する。モニタ９４は、接続情報を表示する。
【０１１５】
図７は、図２の無停電電源システムでの監視装置３７に表示されるモニタ画面の一例である。ここでは、各無停電電源装置の型番が接続情報の一部として利用されている。そして、メインの無停電電源装置３２の型番と、２つのサブの無停電電源装置３３，３４の型番とがツリー構造に並べて表示されている。
【０１１６】
したがって、この実施の形態１に係る無停電電源システムを用いれば、電源の管理者などは、監視装置３７のモニタ９４に表示されているこの接続情報を目視にて確認することで、無停電電源装置同士の接続状態や無停電電源装置と配電盤との接続状態などを簡単に把握することができる。また、この接続情報を利用して無停電電源システムを監視することができる。
【０１１７】
しかも、電源の管理者などは、接続情報を監視装置のキーボード９３などを使用して自分で入力すること無く、無停電電源装置同士の最新の接続状態などを簡単に把握することができる。
【０１１８】
また、信号線は、配電線に沿って、無停電電源装置同士や無停電電源装置と配電盤とを接続している。したがって、この実施の形態１によれば、冗長運転や並列運転などのように協調運転している複数個の無停電電源装置を、それらの接続状態を含めて、１つの監視装置で、システムとして監視することができる。
【０１１９】
特に、各コネクタ板２１には、信号線を接続するための上位コネクタ２３と下位コネクタ２４とが設けられている。したがって、配電線が設計通りに接続されておらず、その結果として、信号線が上位コネクタ２３と下位コネクタ２４との間に適切に接続されていない場合には、監視装置に表示されている接続状態も、設計の接続状態とは異なるものとなる。
【０１２０】
特に、無停電電源システムに、後から無停電電源装置を追加したり、故障した無停電電源装置を交換した場合であっても、その新たな無停電電源装置を含めた接続情報が監視装置のモニタに表示されるので、その追加あるいは更新の工事が正しく行われたか否かを監視装置において簡単に把握することができる。
【０１２１】
さらに、この実施の形態１では、各無停電電源装置および各配電盤には、下位コネクタ２４と、上位コネクタ２３と、アップリンクコネクタ２５とが、それを使用しない場合であっても備えられている。したがって、信号線を接続する作業者は、コネクタ板２１を一瞥しただけではどのコネクタに信号線を接続すれば良いのかを判断することができない。その結果、信号線を接続する作業者は、信号線を接続する度に配電線の接続を確認し、この配電線に沿って信号線を所定のコネクタに接続することになる。
【０１２２】
その結果、配電線の接続について、その配線後に、信号線を接続する作業者と、監視装置を利用する管理者との二重のチェックが別々に行われることになり、配電線の結線誤りを効果的に予防することができる。
【０１２３】
ところで、接続情報を監視装置へ送信する無停電電源装置あるいは配電盤は、図２および図４に示すように、基本的には、電力の供給経路の最も最上流側となる無停電電源装置あるいは配電盤、あるいは、電力の供給経路の最も最下流側となる無停電電源装置あるいは配電盤になる。これら電力の供給経路の両端の無停電電源装置あるいは配電盤では、配電線が１つに集約されるので、配電線に沿って配設される信号線も１つにまとまる。
【０１２４】
したがって、配電線が１つに集約される無停電電源装置あるいは配電盤には、その電力系統に接続されている全ての無停電電源装置および全ての配電盤の接続情報を集約させることができる。
【０１２５】
しかも、その配電線が１つに集約される無停電電源装置あるいは配電盤において接続情報を生成し、その接続情報を監視装置へ送信しているので、その１つの監視装置において、その電力系統に接続されている全ての無停電電源装置および全ての配電盤の接続情報を表示させて管理することができる。
【０１２６】
実施の形態２．
図８は、本発明の実施の形態２に係る無停電電源装置を示す装置構成図である。図９は、本発明の実施の形態２に係る配電盤を示す装置構成図である。
【０１２７】
図８の無停電電源装置の記憶部材８と、図９の配電盤の記憶部材７７には、中継送信プログラム１０１が記憶されている。この中継送信プログラム１０１は、コネクタ板２１の上位コネクタ２３と下位コネクタ２４とに信号線が共に接続されている場合に、通信管理手段によって起動され、中央処理装置９，７８にて実行される。これにより、中継送信手段が実現される。
【０１２８】
中継送信手段は、受信手段によって記憶部材８，７７に記憶されている受信データをＩ／Ｏポート７，７６へ出力し、この受信データを通信ユニット２２に上位コネクタ２３から送信させる。
【０１２９】
このとき、中継送信手段は、各受信データに、中継した自身の識別情報をルート情報として付加する。このような目的で使用される識別情報は、少なくとも協調運転させる複数個の無停電電源装置の間で、互いを区別することができる番号などであれば十分である。但し、後から無停電電源装置を入替えたり、追加したりすることを考慮すると、たとえば型番やロット番号などの各無停電電源装置の種類や個体に固有の番号などであってもよい。さらには、これら型番やロット番号などを組み合わせたものや、装置の詳細な部品の型番情報の組合せなどであっても、装置の仕様情報などを含むものであってもよい。
【０１３０】
なお、中継送信手段は、識別情報を付加する替わりに、受信した装置データ６５とともに、自身の装置データ６５を上位コネクタ２３から同時に送信してもよい。この受信データを受け取る無停電電源装置あるいは配電盤では、受信処理単位毎に、コネクタ識別情報が付加されるので、コネクタ識別情報に基づいて、記憶部材８に記憶されている装置データ６５同士の接続関係を把握することができる。
【０１３１】
また、このように受信データと自身の装置データ６５とを同時に送信する場合には、中継送信手段によって自身の識別情報が送信されるので、通信管理手段は、上位送信手段は起動しなくてもよい。なお、上位送信手段の起動の有無は、下位コネクタ２４の信号線の接続状態を判断すればよい。
【０１３２】
そして、このように中継された装置データ６５は、他の装置データ６５とともに、アップリンク送信手段によって利用され、接続情報が生成される。
【０１３３】
これ以外の無停電電源装置の構成要素および配電盤の構成要素は、図１に示す無停電電源装置あるいは図５に示す配電盤の同名の構成要素と同一のものであり、同一の符号を付して説明を省略する。
【０１３４】
このように、実施の形態２では、下位コネクタ２４および上位コネクタ２３に信号線が接続されている場合には、中継送信手段によって、受信した他の無停電電源装置あるいは配電盤の装置データ６５を上位コネクタ２３から送信する。また、このとき、各装置データ６５には、その中継した無停電電源装置あるいは配電盤の識別情報がルート情報として付加されている。
【０１３５】
したがって、アップリンクコネクタ２５に信号線が接続されている無停電電源装置あるいは配電盤では、各装置データ６５に付加されたルート情報に基づいて、無停電電源装置同士あるいは無停電電源装置と配電盤との接続関係を特定し、これらの接続情報を生成することができる。この接続情報は監視装置に送信される。
【０１３６】
この実施の形態２では、無停電電源装置および分電盤が３段以上に多段に接続されている場合であっても、アップリンクコネクタ２５に信号線が接続されている無停電電源装置あるいは配電盤に、それらの装置データ６５を集約させることができる。しかも、中継された各装置データ６５には、中継した装置の識別情報がルート情報として付加されているので、この無停電電源装置あるいは配電盤は、各無停電電源装置および各分電盤の接続状態を特定し、接続情報を生成することができる。
【０１３７】
以上の各実施の形態は、本発明の好適な実施の形態の例であるが、これに限定されるものではなく、本発明の要旨を逸脱しない範囲において、種々の変形、変更が可能である。
【０１３８】
たとえば、上述の各実施の形態の各無停電電源装置および各配電盤には、アップリンクコネクタ２５が設けられている。そのため、配電線が１つに集約される無停電電源装置あるいは配電盤以外の無停電電源装置あるいは配電盤に、監視装置を接続してもよい。但し、このように、配電線が１つに集約される無停電電源装置あるいは配電盤以外の無停電電源装置あるいは配電盤に、監視装置を接続した場合、この監視装置には、全ての無停電電源装置および配電盤の接続情報が表示されない。したがって、全ての無停電電源装置および配電盤を監視するためには、複数の監視装置を用いて、分散して監視することになる。
【０１３９】
上述の各実施の形態では、配電線が１つに集約される無停電電源装置あるいは配電盤から監視装置へは、接続情報を送信している。この他にもたとえば、この無停電電源装置の記憶部材８あるいは配電盤の記憶部材７７に記憶されている、全ての装置データ６５を、監視装置へ送信するようにしてもよい。これにより、監視装置において、全ての無停電電源装置および配電盤の装置データ６５をまとめて監視することができる。
【０１４０】
上述の各実施の形態では、無停電電源装置あるいは配電盤から監視装置へ接続情報を送信している。さらに他にもたとえば、各無停電電源装置から設定データ１３、動作データ１４、警報データ１５を送信させ、各配電盤から設定データ８２、動作データ８３、警報データ８４を送信させ、これらの情報を監視装置で受信して表示させるようにしてもよい。これにより、各無停電電源装置などの動作状態などを監視装置で全て把握することができる。なお、各無停電電源装置や各配電盤からのこれらのデータの送信は、各無停電電源装置あるいは各配電盤が自動的に周期的に送信しても良いし、監視装置からの送信要求に応じて送信しても良い。
【０１４１】
上述の各実施の形態では、監視装置３７，５８は、無停電電源装置３２，３３，３４の接続状態や、無停電電源装置５１，５２と配電盤５３との接続状態を監視し、表示している。この他にもたとえば、電源監視手段の制御の下で、監視装置３７，５８のモニタ９４に、設定画面や制御画面を表示させ、この表示に応じてキーボード９３から入力された設定データ１３，８２や制御データを、各無停電電源装置３２，３３，３４，５１，５２および各配電盤５３へ送信するようにしてもよい。これにより、協調運転している複数個の無停電電源装置などの動作状態や設定などを監視装置においてまとめて設定管理することができる。その結果、たとえば、協調運転している複数個の無停電電源装置などの動作状態や設定などを、異なる無停電電源装置に取り違えて設定してしまうことを防止することができる。
【０１４２】
上述の実施の形態２では、中継送信手段が、下位コネクタ２４から受信した受信データを上位コネクタ２３から送信する処理を説明している。この他にもたとえば、中継送信手段は、上位コネクタ２３から受信した設定データなどを、所定の下位コネクタ２４から送信するようにしてもよい。これにより、無停電電源装置および配電盤が３段以上に接続されていたとしても、監視装置において、各無停電電源装置に対して設定などを実行することができる。
【０１４３】
【発明の効果】
本発明では、無停電電源装置同士の接続情報を自動的に収集することができる。したがって、現状の複数個の無停電電源装置同士の接続関係を簡単に把握することができる。
【図面の簡単な説明】
【図１】本発明の実施の形態１に係る無停電電源装置を示す装置構成図である。
【図２】本発明の実施の形態１に係る無停電電源システムを示すシステム構成図である。
【図３】本発明の他の無停電電源装置を示す装置構成図である。
【図４】本発明の他の無停電電源システムを示すシステム構成図である。
【図５】本発明の実施の形態１に係る配電盤を示す装置構成図である。
【図６】本発明の実施の形態１に係る監視装置の構成を示す装置構成図である。
【図７】図２の無停電電源システムにおいて、監視装置のモニタに表示される、無停電電源装置同士の接続状態を表示するモニタ画面の一例を示す図である。
【図８】本発明の実施の形態２に係る無停電電源装置を示す装置構成図である。
【図９】本発明の実施の形態２に係る配電盤を示す装置構成図である。
【符号の説明】
１，４１　入力端子（無停電電源装置の入力端子）
２，４４　出力端子（無停電電源装置の出力端子）
８　記憶部材（無停電電源装置の記憶部材）
９，７８　中央処理装置（上位送信手段の一部、アップリンク送信手段の一部、受信手段の一部、上位送信手段の一部、アップリンク送信手段の一部、中継送信手段の一部）
２３　上位コネクタ
２４　下位コネクタ
２５　アップリンクコネクタ
３２，５１　メインの無停電電源装置（無停電電源装置）
３３，３４，５２　サブの無停電電源装置（無停電電源装置）
３６，５７　信号線
３７，５８　監視装置
３８　負荷機器
５３　配電盤
６２　受信プログラム（受信手段の一部）
６３　上位送信プログラム（上位送信手段の一部）
６３　上位送信プログラム（上位送信手段の一部）
６４　アップリンク送信プログラム（アップリンク送信手段の一部）
６４　アップリンク送信プログラム（アップリンク送信手段の一部）
７１，７２　入力端子（配電盤の入力端子）
７３　出力端子（配電盤の出力端子）
７４　スイッチ
７７　記憶部材（配電盤の記憶部材）
１０１　中継送信プログラム（中継送信手段の一部）
【図１】
2004129461.tif 000003
【図２】
2004129461.tif 000004
【図３】
2004129461.tif 000005
【図４】
2004129461.tif 000006
【図５】
2004129461.tif 000007
【図６】
2004129461.tif 000008
【図７】
2004129461.tif 000009
【図８】
2004129461.tif 000010
【図９】
2004129461.tif 000011